(57)【要約】【課題】火災時に戸車が発火したとしてもその火を縦框に移さないようにすることができる建具を提供する。【解決手段】下框３４には、枠体に沿って左右方向に走行可能な戸車６が設けられ、戸車６は、枠体に沿って左右方向に走行可能な戸車本体６１と、戸車本体６１を支持する金属製の支持部６２と、を有し、下框３４の第１框芯材（框芯材）５には、戸車６の室内側および室外側のそれぞれに配置されるように第１框芯材加熱発泡材（第１加熱発泡材）７２および第２框芯材加熱発泡材（第１加熱発泡材）７３が設けられ、支持部６２における戸車本体６１よりも下框３４の左右方向の端部と近接する側には、戸車加熱発泡材（第２加熱発泡材）７４が設けられている。【選択図】図７
2019065498.tif 000002
【特許請求の範囲】
【請求項１】
室内側と室外側とを仕切る壁部に形成された開口部に取り付けられる枠体と、前記枠体に対して左右方向にスライド可能に設けられた障子と、を有し、
前記障子は、左右方向に延びる上框および下框と、上下方向に延びる一対の縦框と、を有し、
前記上框、前記下框および前記一対の縦框は、それぞれ樹脂框と、前記樹脂框の内部に配置された金属製の框芯材と、を有する建具において、
前記下框には、前記枠体に沿って左右方向に走行可能な戸車が設けられ、
前記戸車は、前記枠体に沿って左右方向に走行可能な戸車本体と、前記戸車本体を支持する金属製の支持部と、を有し、
前記下框の前記框芯材には、前記戸車の室内側および室外側のそれぞれに配置されるように第１加熱発泡材が設けられ、
前記支持部における前記戸車本体よりも前記下框の左右方向の端部と近接する側には、第２加熱発泡材が設けられていることを特徴とする建具。
【請求項２】
前記上框の前記框芯材と、前記一対の縦框の前記框芯材とは、それぞれの端部が上側連結金具を介して連結され、
前記下框の前記框芯材と、前記一対の縦框の前記框芯材とは、それぞれの端部が下側連結金具を介して連結され、
前記下側連結金具は、前記戸車の上側において前記下框の前記框芯材に固定され、
前記下側連結金具が前記下框の前記框芯材に対して固定される固定箇所数は、前記下側連結金具が前記一対の縦框の前記框芯材に対して固定される固定箇所、前記上側連結金具が前記上框の前記框芯材に対して固定される固定箇所、および前記上側連結金具が前記一対の縦框の前記框芯材に対して固定される固定箇所よりも少なく設定されている請求項１に記載の建具。
【請求項３】
前記下框の框芯材における前記戸車よりも前記下框の左右方向の端部と離間する側には、第３加熱発泡材が設けられている請求項１または２に記載の建具。
【発明の詳細な説明】
【技術分野】
【０００１】
本発明は、建具に関する。
【背景技術】
【０００２】
従来、四方枠状の枠体と枠体の内部に設けられる障子とを有する建具において、枠体が樹脂製の樹脂枠と、樹脂枠の内部に設けられた金属製の枠芯材と、を備え、障子の四方枠状の框体が樹脂製の樹脂框と、樹脂框の内部に設けられた金属製の框芯材と、を備える樹脂サッシが知られている（例えば、特許文献１参照）。
このような樹脂サッシは、防火性能を高めるために、枠体や框体に加熱発泡材（耐火材）が設けられている。加熱発泡材は、火災時に発泡することで、樹脂枠や樹脂框が溶融したとしても枠体と障子との間の隙間を塞ぐように構成されている。
【０００３】
また、このような樹脂サッシは、枠体の上枠および下枠と、一対の縦枠とは、それぞれの樹脂枠の端部どうしが溶着されているとともに、それぞれの枠芯材どうしが金具などを介して連結されている。また、框体の上框および下框と、一対の縦框（召合せ框、戸先框）とは、それぞれの樹脂框の端部どうしが溶着されているとともに、それぞれの框芯材が金具などを介して連結されている。これにより、火災時に樹脂枠や樹脂框が溶融したとしても、枠芯材および框芯材は四方枠状に維持されるため、開口部から脱落することが防止されている。
【０００４】
引き違い戸や引き分け戸、片引き戸などの下框に戸車が設けられた樹脂サッシの場合、戸車に樹脂製の部材が使用されていると、火災時に戸車が溶融する虞がある。戸車は、下枠と下框との間に配置されているため、火災時に戸車が溶融してしまうと、枠体に対して障子が下方に移動し、上枠と上枠との間に隙間が生じる虞がある。このため、下框には、戸車の室内側および室外側に加熱発泡材を設け、火災時に戸車が溶融することを防止している。
【先行技術文献】
【特許文献】
【０００５】
【特許文献１】特開２０１６−１４２０２７号公報
【発明の概要】
【発明が解決しようとする課題】
【０００６】
しかしながら、火災時に万が一、戸車が発火すると、その火が下框の長さ方向の端部から縦框に移り、縦框を伝わって上方へ移ってしまう（延焼してしまう）虞がある。
このため、火災時に万が一、戸車が発火したとしてもその火を縦框に移さないようにする必要がある。
【０００７】
そこで、本発明は、火災時に戸車が発火したとしてもその火を縦框に移さないようにすることができる建具を提供することを目的とする。
【課題を解決するための手段】
【０００８】
上記目的を達成するため、本発明に係る建具は、室内側と室外側とを仕切る壁部に形成された開口部に取り付けられる枠体と、前記枠体に対して左右方向にスライド可能に設けられた障子と、を有し、前記障子は、左右方向に延びる上框および下框と、上下方向に延びる一対の縦框と、を有し、前記上框、前記下框および前記一対の縦框は、それぞれ樹脂框と、前記樹脂框の内部に配置された金属製の框芯材と、を有する建具において、前記下框には、前記枠体に沿って左右方向に走行可能な戸車が設けられ、前記戸車は、前記枠体に沿って左右方向に走行可能な戸車本体と、前記戸車本体を支持する金属製の支持部と、を有し、前記下框の前記框芯材には、前記戸車の室内側および室外側のそれぞれに配置されるように第１加熱発泡材が設けられ、前記支持部における前記戸車本体よりも前記下框の左右方向の端部と近接する側には、第２加熱発泡材が設けられていることを特徴とする。
【０００９】
本発明では、戸車本体よりも下框の左右方向の端部と近接する側に第２加熱発泡材が設けられていることにより、火災時には、下框における戸車本体よりも下框の左右方向の端部と近接する側において第２加熱発泡材が発泡する。このため、戸車本体が樹脂などでできていて万が一発火したとしても、発泡した第２加熱発泡材によってその火が下框の左右方向の端部から縦框に移ることを防止することができる。これにより、戸車が万が一発火したとしても、戸車が発火したことによる縦框、や上框のダメージを抑えることができる。
また、戸車の室内側および室外側のそれぞれに第１加熱発泡材が設けられていることに加えて、戸車本体よりも下框の左右方向の端部と近接する側に第２加熱発泡材が設けられているため、火災時には、第１加熱発泡材および第２加熱発泡材が発泡することで戸車本体を封止することができる。このため、戸車本体の溶融を抑制することができる。
また、第２加熱発泡材は、戸車本体を支持する金属製の支持部に設けられていることにより、下框に対して戸車が位置ずれしたとしても、第２加熱発泡材を常に戸車本体よりも下框の左右方向の端部と近接する側に配置した状態に維持することができる。
本発明における左右方向とは、開口部が貫通する方向から見た際の左側と右側を結ぶ水平方向を示している。
【００１０】
また、本発明に係る建具では、前記上框の前記框芯材と、前記一対の縦框の前記框芯材とは、それぞれの端部が上側連結金具を介して連結され、前記下框の前記框芯材と、前記一対の縦框の前記框芯材とは、それぞれの端部が下側連結金具を介して連結され、前記下側連結金具は、前記戸車の上側において前記下框の前記框芯材に固定され、前記下側連結金具が前記下框の前記框芯材に対して固定される固定箇所数は、前記下側連結金具が前記一対の縦框の前記框芯材に対して固定される固定箇所、前記上側連結金具が前記上框の前記框芯材に対して固定される固定箇所、および前記上側連結金具が前記一対の縦框の前記框芯材に対して固定される固定箇所よりも少なく設定されていてもよい。
【００１１】
下側連結金具は、戸車の上側において下框の框芯材に固定されるため、下側連結金具を戸車と干渉しないように下框の框芯材に固定する必要がある。本発明では、下側連結金具が下框の框芯材に対して固定される固定箇所数が、下側連結金具が一対の縦框の框芯材に対して固定される固定箇所、上側連結金具が上框の框芯材に対して固定される固定箇所、および上側連結金具が一対の縦框の框芯材に対して固定される固定箇所それぞれよりも少ないことにより、下側連結金具を戸車と干渉しないように下框の框芯材に固定しやすい。
【００１２】
また、本発明に係る建具では、前記下框の框芯材における前記戸車よりも前記下框の左右方向の端部と離間する側には、第３加熱発泡材が設けられていてもよい。
このような構成とすることにより、火災時には、第１加熱発泡材および第２加熱発泡材に加え第３加熱発泡材が発泡し、戸車本体を室内側、室外側および左右方向の両側から確実に封止することができるため、戸車本体が火炎に晒されることがなく戸車本体の溶融を抑制することができる。
【発明の効果】
【００１３】
本発明によれば、火災時に万が一、戸車が発火したとしてもその火を縦框に移さないようにすることができ、戸車が発火したことによる縦框や上框のダメージを抑えることができる。
【図面の簡単な説明】
【００１４】
【図１】本発明の実施形態による建具の一例を示す室内側から見た正面図である。
【図２】本発明の実施形態による障子（外障子）の斜視図である。
【図３】図２のＡ−Ａ線断面図である。
【図４】図２のＢ−Ｂ線断面図である。
【図５】下框の室内側から見た正面図である。
【図６】下框を上から見た上面図である。
【図７】下框を長さ方向から見た側面図である。
【図８】下框の長さ方向の端部の斜視図である。
【図９】第１框芯材、第２框芯材および戸車を説明する斜視図である。
【図１０】下框と戸先框との連結部を説明する斜視図である。
【図１１】コーナー金具の斜視図である。
【図１２】図１０のＣ−Ｃ線断面図である。
【図１３】上框と戸先框との連結部を説明する斜視図である。
【図１４】コーナー金具の斜視図である。
【図１５】図１３のＤ−Ｄ線断面図である。
【発明を実施するための形態】
【００１５】
以下、本発明の実施形態による建具１について、図１乃至図１５に基づいて説明する。
図１に示すように、本実施形態による建具１は、引違サッシで建物の壁部１１に形成された開口部１２に設けられている。
建具１は、開口部１２に沿って設けられた四方枠状の枠体２と、枠体２の内側に左右方向にスライド可能に設けられた一対の障子３，３と、を有している。
以下の説明において、室外側と室内側とを結ぶ方向を室内外方向とし、開口部１２が壁部１１を貫通する方向（壁部１１に対向する方向）から見た際の左側と右側を結ぶ水平方向を左右方向とする。また、建具１を構成する各部材や部品などは、開口部１２に設けられている姿勢であるものとして、その姿勢における室内外方向および左右方向を用いて説明する。
【００１６】
枠体２は、左右方向に延びる上枠２１および下枠２２と、上下方向に延びて上枠２１および下枠２２と連結された一対の縦枠２３，２３と、を有している。上枠２１、下枠２２および一対の縦枠２３，２３は、互いに略同じ断面に形成されている。以下の説明では、上枠２１、下枠２２および一対の縦枠２３，２３などの長尺の部材に対してそれぞれが延びる方向を長さ方向とすることがある。
上枠２１、下枠２２および一対の縦枠２３，２３は、それぞれの長さ方向に延びる合成樹脂製の樹脂枠２４と、それぞれの長さ方向に延びる金属製の枠芯材２５と、を有している。樹脂枠２４および枠芯材２５は、それぞれの長さ方向全体において略同じ断面形状となるように形成されている。このため、樹脂枠２４を構成する部材は、基本的に、樹脂枠２４の長さ方向に延びていて、枠芯材２５を構成する部材は、基本的に、枠芯材２５の長さ方向に延びている。
【００１７】
上枠２１、下枠２２および一対の縦枠２３，２３それぞれの樹脂枠２４は、互いに同じ断面に形成されている。樹脂枠２４は、例えば押出材で、内部に長さ方向全体にわたって中空部が形成されている。樹脂枠２４は、長さ方向の端部２４ａがそれぞれ斜め４５°に切断されている。
枠芯材２５は、樹脂枠２４の中空部に挿入配置されている。枠芯材２５は、樹脂枠２４よりも若干短く形成されている。枠芯材２５は、樹脂枠２４の長さ方向の両端部２４ａ，２４ａそれぞれから長さ方向の外側に突出しないように配置されている。
【００１８】
上枠２１および下枠２２の樹脂枠２４と、一対の縦枠２３，２３の樹脂枠２４とは、互いの端部２４ａ，２４ａを突き合わせて９０°を成すように溶着されている。
上枠２１および下枠２２の枠芯材２５と、一対の縦枠２３，２３の枠芯材２５とは、直接連結されておらず枠体２のＬ字形状の連結金具（不図示）などを介して連結されている。
【００１９】
一対の障子３，３は、室外側に配置される外障子３Ａと、室内側に配置される内障子３Ｂと、から構成されている。
一対の障子３，３は、それぞれ四方枠状に形成された框体３１と、框体３１内に配置されて支持された複層ガラス３２と、を有している。以下の障子３の説明では外障子３Ａについて説明する。
図２乃至図４に示すように、框体３１は、左右方向に延びる上框３３および下框３４と、上下方向に延びて上框３３の両端部と下框３４の両端部と連結された戸先框（縦框）３５および召合せ框（縦框）３６と、を有している。以下の説明では、上框３３、下框３４、戸先框３５および召合せ框３６のそれぞれに対して、それぞれが延びる方向を長さ方向と称すことがある。
上框３３、下框３４、戸先框３５および召合せ框３６は、それぞれ長さ方向に延びる合成樹脂製の樹脂框４と、それぞれ長さ方向に延びる金属製の第１框芯材（框芯材）５および第２框芯材（框芯材）３９と、を有している。
【００２０】
上框３３、下框３４、戸先框３５および召合せ框３６それぞれの樹脂框４は、互いに同じ断面に形成されている。
樹脂框４は、内部に長さ方向全体にわたって中空部（框ホロー部Ｓ１とする）が形成されている。図５に示すように、樹脂框４は、長さ方向の端部４ａ，４ａがそれぞれ斜め４５°に切断されている。なお、図５は下框３４を示している。
第１框芯材５は、樹脂框４の框ホロー部Ｓ１に挿入配置されている。第１框芯材５は、樹脂框４よりも長さ方向に若干短く形成されている。第１框芯材５は、樹脂框４の長さ方向の両端部４ａ，４ａそれぞれから長さ方向の外側に突出しないように配置されている。
第２框芯材３９は、樹脂框４の框凹部空間Ｓ２に挿入配置されている。第２框芯材３９は、樹脂框４および第１框芯材５よりも長さ方向に短く形成されている。第２框芯材３９は、第１框芯材５の長さ方向の両端部５ａ，５ａそれぞれから長さ方向の外側に突出しないように配置されている。第２框芯材３９は、樹脂框４の第２連結板部４４（後述する）を介して第１框芯材５と連結されている。
【００２１】
図２に示すように、上框３３および下框３４の樹脂框４と、戸先框３５および召合せ框３６の樹脂框４とは、互いの端部４ａ，４ａを突き合わせて９０°を成すようにして溶着されている。
上框３３の第１框芯材５と、戸先框３５および召合せ框３６の第１框芯材５とは、直接連結されておらず上側連結金具３７を介して連結されている。下框３４の第１框芯材５と、戸先框３５および召合せ框３６の第１框芯材５とは、直接連結されておらず下側連結金具３８を介して連結されている。
上框３３および下框３４の第２框芯材３９と、戸先框３５および召合せ框３６の第２框芯材３９とは、連結されていない。
下框３４には、長さ方向（左右方向）の両端部近傍それぞれに、下枠２２に沿って左右方向に走行可能な戸車６，６が取り付けられている。
【００２２】
続いて、下框３４および戸車６について説明する。
図５乃至図８に示すように、下框３４の樹脂框４は、室外側に配置される外壁部４１と、外壁部４１と間隔をあけて室内側に配置される内壁部４２と、外壁部４１と内壁部４２を連結する第１連結板部４３および第２連結板部４４と、を有している。第１連結板部４３は、第２連結板部４４よりも上側（複層ガラス３２（図３参照）と近接する側）に配置されている。
【００２３】
図７および図８に示すように、外壁部４１は、室外側に配置される外板部４１１と、外板部４１１の室内側に間隔をあけて配置される内板部４１２と、板面が上下方向を向き外板部４１１と内板部４１２との間で室内外方向に延びる第１〜第４見込み板部４１３〜４１６と、を有している。
外板部４１１は、平板状に形成され、板面が室内外方向を向くように配置されている。
内板部４１２は、長さ方向（左右方向）全体に延びる３つの段部４１２ｃ〜４１２ｅが高さ方向に間隔をあけて設けられた板状に形成され、板面が室内外方向を向くように配置されている。
外板部４１１は、内板部４１２よりも上下方向に長く形成されている。外板部４１１の下端部４１１ｂと内板部４１２の下端部４１２ｂとは、同じ高さに配置されている。外板部４１１の上端部４１１ａは、内板部４１２の上端部４１２ａよりも上側に配置されている。
【００２４】
第１〜第４見込み板部４１３〜４１６は、それぞれ室外側の端部が外板部４１１の室内側の面と接続され、室内側の端部が内板部４１２の室外側の面と接続されている。第１〜第４見込み板部４１３〜４１６は、この順で上側から下側に向かって間隔をあけて配置されている。
第１見込み板部４１３は、外板部４１１の上端部４１１ａよりも下側で、内板部４１２の上端部４１２ａよりもやや下側に配置されている。
内板部４１２には、第２見込み板部４１４との接続部分に段部４１２ｃが形成され、第２見込み板部４１４よりも上側の部分が第２見込み板部４１４よりも下側の部分よりも室外側に配置されている。
【００２５】
また、内板部４１２は、第２見込み板部４１４よりも下側で第３見込み板部４１５よりも上側の部分が、他の部分よりも板厚が薄く形成されている。内板部４１２における第２見込み板部４１４よりも下側で第３見込み板部４１５よりも上側の部分と、第３見込み板部４１５よりも下側で第４見込み板部４１６よりも上側の部分とは、室外側の面が面一となり、室内側の面が前者よりも後者の方が室内側に配置されている。
このため、内板部４１２には、第３見込み板部４１５との接続部分における室内側に段部４１２ｄが形成されている。
第４見込み板部４１６は、外板部４１１の下端部４１１ｂおよび内板部４１２の下端部４１２ｂよりも上側に配置されている。
内板部４１２には、第４見込み板部４１６との接続部分に段部４１２ｅが形成され、第４見込み板部４１６よりも上側の部分が第４見込み板部４１６よりも下側の部分よりも室外側に配置されている。
【００２６】
外板部４１１の上端部４１１ａには、室内側に延びてその室内側の先端部から更に下側に突出する第１突出片４１７が設けられている。
第１突出片４１７の先端部（下端部）４１７ａは、内板部４１２の上端部４１２ａの上側に配置され、内板部４１２の上端部４１２ａと上下方向に間隔をあけて対向している。第１突出片４１７、外板部４１１、第１見込み板部４１３、内板部４１２に囲まれた空部４１ｃには、ガラスパッキン３４５（図３参照）がはめ込まれるように構成されている。
【００２７】
外板部４１１の下端部４１１ｂには、室内側に突出する第２突出片４１８が設けられている。内板部４１２の下端部４１２ｂには、室外側に突出する第３突出片４１９が設けられている。第２突出片４１８の先端部４１８ａと第３突出片４１９の先端部４１９ａとは、室内外方向に間隔をあけて対向して配置されている。内板部４１２と外板部４１１との間における第４見込み板部４１６よりも下側の空部４１ｄには、気密材３４６（図３参照）がはめ込まれるように構成されている。気密材３４６は、第２突出片４１８と第３突出片４１９とに挟まれるようにして外壁部４１に係止されている。
【００２８】
内壁部４２は、室外側に配置される外板部４２１と、外板部４２１の室内側に間隔をあけて配置される内板部４２２と、外板部４２１と内板部４２２との間で室内外方向に延びる第１見込み板部４２３および第２見込み板部４２４と、を有している。
内板部４２２は、平板状に形成され、板面が室内外方向を向くように配置されている。外板部４２１には、長さ方向（左右方向）全体に延びる１つの段部４２１ｃが設けられた板状に形成され、板面が室内外方向を向くように配置されている。
外板部４２１と内板部４２２とは、上下方向に同じ長さに形成され、同じ高さに配置されている。
【００２９】
第１見込み板部４２３および第２見込み板部４２４は、それぞれ室外側の端部が外板部４２１の室内側の面と接続され、室内側の端部が内板部４２２の室外側の面と接続されている。
第１見込み板部４２３は、外板部４２１の上端部４２１ａおよび内板部４２２の上端部４２２ａよりも下側に配置されている。
第２見込み板部４２４は、第１見込み板部４２３よりも間隔をあけた下側に配置されている。
【００３０】
内板部４２２の上端部４２２ａには、室外側に延びる第１突出片４２５が設けられている。
第１突出片４２５の先端部（室外側の端部）４２５ａは、外板部４２１の上端部４２１ａと室内外方向に間隔をあけて対向している。第１突出片４２５、内板部４２２、第１見込み板部４２３、外板部４２１に囲まれた空部４２ｃには、ガラスパッキン３４７（図３参照）がはめ込まれるように構成されている。
【００３１】
外板部４２１の下端部４２１ｂには、室内側に突出する第２突出片４２６が設けられている。内板部４２２の下端部４２２ｂには、室外側に突出する第３突出片４２７が設けられている。第２突出片４２６の先端部４２６ａと第３突出片４２７の先端部４２７ａとは、室内外方向に間隔をあけて対向して配置されている。外板部４２１と内板部４２２との間の第２見込み板部４２４の下側の空部４２ｄには、気密材３４８（図３参照）がはめ込まれるように構成されている。気密材３４８は、第２突出片４２６と第３突出片４２７とに挟まれるようにして内壁部４２に係止されている。
【００３２】
外壁部４１の下端部と、内壁部４２の下端部とは、同じ高さに配置されている。外壁部４１の上端部は、内壁部４２の上端部よりも上側に配置されている。
【００３３】
第１連結板部４３は、外壁部４１の第２見込み板部４１４と同じ高さにおいて外壁部４１の内板部４１２と連結され、内壁部４２の外板部４２１と外板部４２１の上端部４２１ａよりもやや下側において連結されている。
第２連結板部４４は、外壁部４１の第３見込み板部４１５と同じ高さにおいて外壁部４１の内板部４１２と連結され、内壁部４２の第１見込み板部４２３と第２見込み板部４２４との間の高さにおいて内壁部４２の外板部４２１と連結されている。
【００３４】
上述した框ホロー部は、外壁部４１の内板部４１２、内壁部４２の外板部４２１、第１連結板部４３および第２連結板部４４に囲まれて形成されている。
下框３４の樹脂框４には、第２連結板部４４の下側に、外壁部４１の内板部４１２、内壁部４２の外板部４２１、第２連結板部４４に囲まれて下側に開口する框凹部空間Ｓ２が形成され、第１連結板部４３の上側に外壁部４１、第１連結板部４３および内壁部４２に囲まれて上側に開口するガラス保持溝部４５が形成されている。
ガラス保持溝部４５には、複層ガラス３２（図３参照）の縁部がはめ込まれるように構成されている。
【００３５】
ガラス保持溝部４５には、第１連結板部４３の上側に加熱発泡材７１（図６および図７参照）が設けられている。この加熱発泡材７１は、火災時に発泡して框体３１（下框３４）と複層ガラス３２との間に隙間が生じることを防止するために設けられている。以下では、この加熱発泡材７１を複層ガラス用加熱発泡材７１とする。
複層ガラス用加熱発泡材７１は、シート状に形成され、その面が上下方向を向くように第１連結板部４３の上側に設けられている。複層ガラス用加熱発泡材７１は、加熱されると上下方向に発泡するように構成されている。
第１複層ガラス用加熱発泡材７１は、第１連結板部４３における長さ方向（左右方向）の両端部それぞれの近傍を除いた長さ方向の中間部の上側に配置されている。第１連結板部４３における長さ方向（左右方向）の両端部それぞれの近傍の上側には、後述する下側連結金具３８の第１下側固定板部３８１を介して、第２複層ガラス用加熱発泡材７５Ａが配置されている。第１複層ガラス用加熱発泡材７１と第２複層ガラス用加熱発泡材７５Ａとは、下框３４の長さ方向に連続して配置されている。
【００３６】
下框３４の樹脂框４における長さ方向の端面（端部４ａの面）は、樹脂框４の長さ方向最端部から内側に向かって漸次上側に向かう４５°に傾斜している。このため、下框３４の樹脂框４は、第１連結板部４３の長さ方向（左右方向）の端面よりも第２連結板部４４の長さ方向（左右方向）の端面の方が樹脂框４における長さ方向の外側に配置されている。
【００３７】
図７乃至図９に示すように下框３４の第１框芯材５は、断面形状が略コ字形状（Ｃ字形状）に形成され、室内側に開口する向きで框ホロー部Ｓ１の内部に配置されている。
第１框芯材５は、板面が室内外方向を向く底板部５１と、底板部５１の上端部から室内側に延びる第１側板部５２と、底板部５１の下端部から室内側に延びる第２側板部５３と、第１側板部５２の室内側の端部から下側に延びる第１突出片５４と、第１突出片５４の下端部から室外側の突出する第２突出片５５と、を有している。
【００３８】
第１突出片５４の下端部は、第２側板部５３の上側に間隔をあけて配置されている。第２突出片５５の室外側の端部は、底板部５１の室内側に間隔をあけて配置されている。
底板部５１には、上下方向の中間部に室内側に突出する第３突出片５６が長さ方向全体にわたって形成されている。第３突出片５６は、第２突出片５５と同じ高さに配置されている。
【００３９】
底板部５１の室内側の面には、第３突出片５６と第２側板部５３との間に第１框芯材５の長さ方向（左右方向）全体にわたって第１框芯材加熱発泡材（框芯材加熱発泡材）７２が設けられている。
第１框芯材加熱発泡材７２は、シート状に形成され、その面が室内外方向を向くように底板部５１の室内側の面に設けられている。第１框芯材加熱発泡材７２は、加熱されると室内外方向に発泡するように構成されている。
【００４０】
第１框芯材５は、框ホロー部Ｓ１の内部において、底板部５１が外壁部４１の内板部４１２の室内側の面に沿って配置され、第１側板部５２が第１連結板部４３の下面に沿って配置され、第２側板部５３が第２連結板部４４の上面に沿って配置されている。
第１框芯材５の長さ方向の端面は、略鉛直面となっている。第１框芯材５の長さ方向の端部は、樹脂框４の第１連結板部４３の長さ方向の端部よりも長さ方向の中央側に配置されている。このため、第１框芯材加熱発泡材７２は、下框３４の長さ方向の中間部に配置され、下框３４の長さ方向の端部近傍には配置されていない。
【００４１】
図７に示すように、下框３４の長さ方向の両端部それぞれの近傍には、戸車６が配置される戸車配置空間３４１が形成されている。戸車配置空間３４１は、框ホロー部Ｓ１および框凹部空間Ｓ２にわたるように形成されている。下框３４の樹脂框４の第２連結板部４４および第１框芯材５の第２側板部５３には、戸車配置空間３４１が形成される部分に框ホロー部Ｓ１と框凹部空間Ｓ２とを連通させるための切欠き部４４１，５３１がそれぞれ形成されている。
【００４２】
第２連結板部４４に形成された切欠き部４４１は、第２連結板部４４の長さ方向の端部の端部よりもやや長さ方向の中央側に形成されている。第２連結板部４４に形成された切欠き部４４１は、第２連結板部４４の室外側の縁部（外壁部４１との接続部）よりも室内側で、第２連結板部４４の室内側の縁部（内壁部４２との接続部）よりも室外側に形成されている。
第２連結板部４４に形成された切欠き部４４１は、第２側板部５３の室外側の縁部（底板部５１との接続部）よりも室内側で、第２側板部５３の室内側の縁部よりも室外側に形成されている。
【００４３】
図９に示すように、第２側板部５３に形成された切欠き部５３１は、第２側板部５３の長さ方向の端部側が開口している。第２側板部５３の上面における切欠き部５３１よりも室内側には、第２框芯材加熱発泡材７３が設けられている。
第２框芯材加熱発泡材７３は、シート状に形成され、その面が上下方向を向くように第２側板部５３の上面に設けられている。第２框芯材加熱発泡材７３は、加熱されると上下方向に発泡するように構成されている。
【００４４】
図７および図８に示すように、下框３４には、長さ方向の両端部それぞれの近傍に、框体３１の内部に入り込んだ雨水などの水を抜くための第１水抜き孔３４２および第２水抜き孔３４３が形成されている。
第１水抜き孔３４２および第２水抜き孔３４３は、樹脂框４の第１連結板部４３および第１框芯材５の第１側板部５２を重ねて貫通するように形成されている。第１水抜き孔３４２は、第２水抜き孔３４３よりも室外側に配置されている。
【００４５】
第１連結板部４３には、第１水抜き孔３４２を構成する第１孔部４３２と、第２水抜き孔３４３を形成する第２孔部４３３と、が形成されている。
第１孔部４３２は、丸孔に形成されている。第２孔部４３３は、矩形状の孔に形成されている。第２孔部４３３は、第１連結板部４３、および第１連結板部４３の室内側の縁部に接続される内壁部４２の外板部４２１の上端部４２１ａ近傍を切り欠くようにして形成されている。
【００４６】
図７乃至図９に示すように、第１側板部５２には、第１水抜き孔３４２を構成する第１切欠き部５２２と、第２水抜き孔３４３を形成する第２切欠き部５２３と、が形成されている。
第１切欠き部５２２は、第１側板部５２の長さ方向の縁部における室外側の端部近傍に形成され長さ方向の端部側が開口している。第１切欠き部５２２の縁部は、略半円状に形成されている。
第２切欠き部５２３は、第１側板部５２の長さ方向の縁部における室内側の端部近傍に形成され長さ方向の端部側および室内側が開口している。第２切欠き部５２３の縁部は、Ｌ字形状に形成されている。第２切欠き部５２３は、第１側板部５２、第１側板部５２の室内の縁部に接続される第１突出片５４および第２突出片５５を切り欠くようにして形成されている。
【００４７】
図７および図９に示すように、第２框芯材３９は、断面形状が略コ字形状（Ｃ字形状）に形成され、下側に開口する向きで框凹部空間Ｓ２の内部に配置されている。
第２框芯材３９は、板面が上下方向を向く底板部３９１と、底板部３９１の室外側の端部から下側に延びる第１側板部３９２と、底板部３９１の室内側の端部から下側に延びる第２側板部３９３と、を有している。
第２框芯材３９は、下框３４の長さ方向の両端部近傍にそれぞれ配置された２つの戸車６，６の間に配置されている。
【００４８】
底板部３９１の下面には、長さ方向全体にわたって第３框芯材加熱発泡材（第３加熱発泡材）７８が設けられている。
第３框芯材加熱発泡材７８は、シート状に形成され、その面が上下方向を向くように底板部３９１の下面に設けられている。第３框芯材加熱発泡材７８は、加熱されると上下方向に発泡するように構成されている。
【００４９】
第２框芯材３９は、框凹部空間Ｓ２の内部において、底板部３９１が第２連結板部４４の下面に沿って配置され、第１側板部３９２が外壁部４１の内板部４１２の室内側の面に沿って配置され、第２側板部３９３が内壁部４２の外板部４２１の室外側の面に沿って配置されている。第２框芯材３９は、底板部３９１が第２連結板部４４を介して第１框芯材５の第２側板部５３にネジなどで固定されている。
第２框芯材３９の長さ方向の端面は、略鉛直面となっている。第２框芯材３９は、下框３４の長さ方向の両端部それぞれの近傍に設けられた戸車６，６の間に配置されている。
【００５０】
図７および図９に示すように、戸車６，６は、それぞれ下枠２２に沿って走行する戸車本体６１と、下框３４に取り付けられて戸車本体６１を回転可能に支持する支持部６２と、を有している。下框３４の長さ方向の両端部近傍にそれぞれ配置された２つの戸車６，６は、左右方向に対称に形成されている。以下の戸車６の説明では、長さ方向における下框３４の長さ方向の端部と近接する側を下框３４の長さ方向の端部側とし、その反対側の下框３４の長さ方向の端部と離間する側（下框３４の長さ方向の中央と近接する側）を下框３４の長さ方向の中央側とする。
戸車本体６１は、合成樹脂を含む材料で形成されている。
支持部６２は、金属製で、下枠２２の長さ方向（左右方向）に延びて断面形状が下側に開口する略Ｃ字形状に形成されている。支持部６２は、板面が上下方向を向く上板部６２１と、上板部６２１の室外側の縁部から下側に延びる第１外板部６２２と、第１外板部６２２の下縁部から下側に向かって漸次室外側に向かって傾斜して延びる第２外板部６２３と、第２外板部６２３の下縁部から室内側に向かって延びる外側下板部６２４と、上板部６２１の室内側の縁部から下側に延びる第１内板部６２５と、第１内板部６２５の下縁部から下側に向かって漸次室内側に向かって傾斜して延びる第２内板部６２６と、第２内板部６２６の下縁部から室外側に向かって延びる内側下板部６２７と、を有している。
【００５１】
支持部６２は、室内外方向に略対称に形成されている。外側下板部６２４の室内側の端部と内側下板部６２７の室外側の端部とは、室内外方向に間隔をあけて配置されている。
戸車本体６１は、支持部６２の内部に配置され、下部側が外側下板部６２４と内側下板部６２７との間から下側に突出している。
【００５２】
支持部６２の内部には、戸車本体６１よりも下框３４の長さ方向の端部側に戸車加熱発泡材（第２加熱発泡材）７４が設けられている。
戸車加熱発泡材７４は、発泡する前の形状が２重のシート状に形成されていて、上下方向に重ねられた状態で外側下板部６２４および内側下板部６２７の上面に設けられている。戸車加熱発泡材７４は、外側下板部６２４と内側下板部６２７とに渡されるように設けられていて、戸車本体６１のよりも下框３４の長さ方向の端部側において外側下板部６２４と内側下板部６２７との間を塞いでいる。
戸車加熱発泡材７４は、加熱されると上下方向に発泡するように構成されている。
【００５３】
このような戸車６は、図７に示すように、戸車配置空間３４１に配置されている。戸車６のうち、第１外板部６２２と第２外板部６２３との接続部分よりも上側を上部側、下側を下部側とすると、戸車６の上部側が框ホロー部Ｓ１に配置され、戸車６の下部側が框凹部空間Ｓ１に配置されている。
戸車６が戸車配置空間３４１に配置されると、戸車６の室外側に第１框芯材加熱発泡材７２が配置され、戸車６の室内側に第２框芯材加熱発泡材７３が配置されている。これらの第１框芯材加熱発泡材７２および第２框芯材加熱発泡材７３は、本発明の第１加熱発泡材に相当している。
さらに、戸車６が戸車配置空間３４１に配置されると、戸車６のよりも下框３４の長さ方向の中央側に第３框芯材加熱発泡材７８が配置されている。
支持部６２に設けられた戸車加熱発泡材７４は、戸車本体６１よりも下枠２２の端部側に配置されている。戸車加熱発泡材７４は、框凹部空間Ｓ１２に配置されている。
【００５４】
上框３３、戸先框３５および召合せ框３６の樹脂框４および第１框芯材５は、基本的に下框３４の樹脂框４および第１框芯材５と同じ形態に形成されている。なお、例えば、下框３４には戸車６などが設けられ、戸先框３５には手掛け部などが設けられ、召合せ框３６にはロック機構などが設けられ、上框３３には上枠２１のレールが挿入される溝部などが形成されているため、それぞれの形態は、部分的に断面形状が異なっていたり、取り付けられている部材が異なっていたりする。
上框３３は、下框３４と上下対称となるように形成されている。戸先框３５および召合せ框３６は、長さ方向が上下方向となり、下框３４の上側に対応する側が開口部１２の内側を左右方向から臨む側となるように９０°回転させた形状に形成されている。
以下では、上框３３、戸先框３５および召合せ框３６の各部材は、対応する下框３４の部材と同じ名称および符号で示している。
【００５５】
図１０に示すように、下框３４と戸先框３５とは、それぞれの樹脂框４が互いの端部４ａを突き合わせて９０°を成すようにして溶着され、それぞれの第１框芯材５が互いの端部がＬ字形状の下側連結金具３８を介して連結されている。
図１０および図１１に示すように、下側連結金具３８は、下框３４の第１框芯材５（図１０参照）に固定される第１下側固定板部３８１と、戸先框３５の第１框芯材５（図１０参照）に固定される第２下側固定板部３８２と、第１下側固定板部３８１と第２下側固定板部３８２とを連結する下側連結部３８３と、第１下側固定板部３８１および第２下側固定板部３８２を第１框芯材５に固定するネジ３８４と、を有している。
【００５６】
第１下側固定板部３８１は、板面が長尺の矩形となる平板状に形成されている。第１下側固定板部３８１は、板面が上下方向を向き左右方向に延びる向きで、下框３４の第１框芯材５における長さ方向の端部５ａ近傍に固定されている。第１下側固定板部３８１には、ネジが挿通されるネジ孔３８１ａが１つ形成されている。このネジ孔３８１ａは、第１下側固定板部３８１における長さ方向の一方側（下框３４の第１框芯材５に固定された際に第１框芯材５の長さ方向の端部５ａと離間する側）に形成されている。
第２下側固定板部３８２は、板面が第１下側固定板部３８１と略同じ長尺の矩形となる平板状に形成されている。第２下側固定板部３８２は、板面が左右方向を向き上下方向に延びる向きで、戸先框３５の第１框芯材５における下端部近傍に固定されている。第２下側固定板部３８２には、ネジが挿通されるネジ孔３８２ａが上下方向に間隔をあけて２つ形成されている。
【００５７】
下側連結部３８３は、Ｌ字形状に形成され、Ｌ字形の一方の片となる第１片３８３ａと、他方の辺となり第１片３８３ａと連結された第２片３８３ｂと、を有している。第１片３８３ａが第１下側固定板部３８１の長さ方向の他方側（下框３４の第１框芯材５に固定された際に第１框芯材５の長さ方向の端部５ａに近接する側）の端部と連結され、第２片３８３ｂが第２下側固定板部３８２の下端部と連結されている。下側連結部３８３は、第１下側固定板部３８１および第２下側固定板部３８２よりも室内外方向の寸法が小さく形成されている。第１下側固定板部３８１、第２下側固定板部３８２および下側連結部３８３は、それぞれの室内外方向の中心を揃えるようにして配置されている。
【００５８】
第１下側固定板部３８１の上面、および第２下側固定板部３８２の開口部１２の内側を向く面（複層ガラス３２が配置される側の面）には、それぞれ固定板部加熱発泡材７５が設けられている。固定板部加熱発泡材７５は、シート状に形成されている。
本実施形態では、第１下側固定板部３８１に設けられた加熱発泡材７５は、第１下側固定板部３８１の長さ方向略全体にわたって延びる長尺で、第１下側固定板部３８１の室内外方向の寸法よりもやや小さく形成されている。この加熱発泡材７５は、その面が上下方向を向く向きで設けられ、加熱されると上下方向に発泡するように構成されている。
第２下側固定板部３８２に設けられた加熱発泡材７５は、第２下側固定板部３８２の長さ方向略全体にわたって延びる長尺で、第２下側固定板部３８２の室内外方向の寸法よりもやや小さく形成されている。この加熱発泡材７５は、その面が左右方向を向く向きで設けられ、加熱されると左右方向に発泡するように構成されている。
これらの固定板部加熱発泡材７５は、火災時に発泡して框体３１と複層ガラス３２との隙間を塞ぐように構成されている。
【００５９】
図１０および図１２に示すように、このような下側連結金具３８は、第１下側固定板部３８１が下框３４のガラス保持溝部４５の内部において樹脂框４の第１連結板部４３の上面に沿って配置され、第２下側固定板部３８２は、戸先框３５のガラス保持溝部４５の内部において樹脂框４の第１連結板部４３における開口部１２の内側を向く面（複層ガラス３２が配置される側の面）に沿って配置され、下側連結部３８３が下框３４の第１連結板部４３と戸先框３５の第１連結板部４３との角部の内側に配置されている。第１下側固定板部３８１は、戸車６の上側に配置される。
なお、下側連結金具３８は、第１連結板部４３と複層ガラス３２（図２参照）との間に配置される。
【００６０】
第１下側固定板部３８１は、１つのネジ孔３８１ａに挿通されたネジ３８４が下框３４の第１連結板部４３を貫通して下框３４の第１框芯材５の第１側板部５２に固定されることで下框３４の第１框芯材５に固定されている。第１下側固定板部３８１のネジ孔３８１ａに挿通されたネジ３８４は、戸車６よりも下框３４の長さ方向の中央側において戸車６と干渉しないように第１框芯材５に固定されている。
第２下側固定板部３８２は、２つのネジ孔３８２ａそれぞれに挿通されたたネジ３８４が戸先框３５の第１連結板部４３を貫通して戸先框３５の第１框芯材５の第１側板部５２に固定されることで戸先框３５の第１框芯材５に固定されている。
このように下側連結金具３８が下框３４の第１框芯材５および戸先框３５の第１框芯材５に固定されることで下框３４の第１框芯材５と戸先框３５の第１框芯材５とが固定される。
【００６１】
図１０に示すように、下側連結部３８３の第１片３８３ａは、第１水抜き孔３４２と第２水抜き孔３４３との間に、第１水抜き孔３４２および第２水抜き孔３４３を塞がないように配置されている。
また、下側連結部３８３の第２片３８３ｂの開口部１２の内側を向く面（複層ガラス３２が配置される側の面）には、加熱発泡材７６が設けられている。この加熱発泡材７６は、火災時などには発泡して第１水抜き孔３４２および第２水抜き孔３４３を塞ぐように構成されている。以下では、この加熱発泡材７６を水抜き孔用加熱発泡材７６とする。
【００６２】
水抜き孔用加熱発泡材７６は、シート状に形成され、その面が左右方向を向くように第２片３８３ｂに設けられている。水抜き孔用加熱発泡材７６は、第２下側固定板部３８２よりも室内外方向に長く形成されていて、室内外方向の両端部が第２片３８３ｂよりも室内側および室外側に突出している。水抜き孔用加熱発泡材７６は、加熱されると左右方向に発泡して第１水抜き孔３４２および第２水抜き孔３４３を塞ぐように構成されている。
本実施形態では、水抜き孔用加熱発泡材７６は、第１下側固定板部３８１および第２下側固定板部３８２に配置された固定板部加熱発泡材７５、下框３４の第１連結板部４３および戸先框３５の第１連結板部４３に設けられた複層ガラス用加熱発泡材７１が発泡する温度よりも低温で発泡するように構成されている。
【００６３】
上述しているが、固定板部加熱発泡材７５や複層ガラス用加熱発泡材７１は、火災時に框体３１と複層ガラス３２との隙間を塞ぐように構成されている。このため、水抜き孔用加熱発泡材７６は、固定板部加熱発泡材７５や、複層ガラス用加熱発泡材７１よりも低温で発泡することにより、固定板部加熱発泡材７５や、複層ガラス用加熱発泡材７１が発泡するよりも前に第１水抜き孔３４２および第２水抜き孔３４３を塞ぐことができる。
また、水抜き孔用加熱発泡材７６は、固定板部加熱発泡材７５および複層ガラス用加熱発泡材７１と同時に発泡しないため、これらと同時に発泡するように構成されている場合と比べて、加熱発泡材が発泡することによって複層ガラス３２にかかる負荷を低減させることができる。
【００６４】
下框３４と召合せ框３６についても下框３４と戸先框３５と同様に連結されていて、それぞれの樹脂框４が溶着され、ぞれぞれの第１框芯材５が下側連結金具３８を介して連結されている。
【００６５】
図１３に示すように、上框３３と戸先框３５とは、それぞれの樹脂框４が溶着され、それぞれの第１框芯材５が上側連結金具３７を介して連結されている。
上側連結金具３７は、上框３３の第１框芯材５に固定される第１上側固定板部３７１と、戸先框３５の第１框芯材５に固定される第２上側固定板部３７２と、第１上側固定板部３７１と第２上側固定板部３７２とを連結する上側連結部３７３と、第１上側固定板部３７１および第２上側固定板部３７２を第１框芯材５に固定するネジ３７４と、を有している。
【００６６】
上側連結金具３７は、図１２に示す下側連結金具３８における第１下側固定板部３８１のネジ孔３８１ａを第１下側固定板部３８１の長さ方向（左右方向）に間隔をあけて２つ形成し、これを下側連結金具３８と上下方向に対称となる向きとした形態となっている。このため、上側連結金具３７では、第１上側固定板部３７１に２つのネジ孔３７１ａが形成され、第２上側固定板部３７２に２つのネジ孔３７２ａが形成され、これらのネジ孔３７１ａ，３７２ａそれぞれにネジ３７４が挿通される。
【００６７】
第１上側固定板部３７１の下面、および第２上側固定板部３７２の開口部１２の内側を向く面（複層ガラス３２が配置される側の面）には、それぞれ固定板部加熱発泡材７７が設けられている。固定板部加熱発泡材７７は、シート状に形成されていて第１上側固定板部３７１には、その面が上下方向を向く向きで設けられ、第２上側固定板部３７２には、その面が左右方向を向く向きで設けられている。
第１上側固定板部３７１に設けられた固定板部加熱発泡材７７は、加熱されると上下方向に発泡し、第２上側固定板部３７２に設けられた固定板部加熱発泡材７７は、加熱されると左右方向に発泡するように構成されている。
これらの固定板部加熱発泡材７７は、火災時に框体３１と複層ガラス３２との隙間を塞ぐように構成されている。
【００６８】
図１３および図１５に示すように、上側連結金具３７は、第１上側固定板部３７１が上框３３における樹脂框４の第１連結板部４３の下面に沿って配置され、第２上側固定板部３７２が戸先框３５における樹脂框４の第１連結板部４３の開口部１２の内側を向く面（複層ガラス３２が配置される側の面）に沿って配置され、上側連結部３７３が上框３３の第１連結板部４３と戸先框３５の第１連結板部４３との角部の内側に沿って配置されている。
第１上側固定板部３７１は、２つのネジ孔３７１ａに挿通されたネジ３７４が上框３３の第１連結板部４３を貫通して上框３３の第１框芯材５の第１側板部５２に固定されることで上框３３の第１框芯材５に固定されている。
第２上側固定板部３７２は、２つのネジ孔３７２ａそれぞれに挿通されたネジ３７４が戸先框３５の第１連結板部４３を貫通して戸先框３５の第１框芯材５の第１側板部５２に固定されることで戸先框３５の第１框芯材５に固定されている。
このように、上側連結金具３７が上框３３の第１框芯材５および戸先框３５の第１框芯材５に固定されることで下框３４の第１框芯材５と戸先框３５の第１框芯材５とが固定される。
上框３３と召合せ框３６についても、それぞれの樹脂框４が溶着され、それぞれの第１框芯材５が上側連結金具３７を介して連結されている。
【００６９】
次に、上述した本実施形態による建具の作用・効果について図面を用いて説明する。
本実施形態による建具１では、戸車本体６１よりも下框３４の長さ方向の端部側に戸車加熱発泡材７４が設けられていることにより、火災時には、戸車６のよりも下框３４の長さ方向の端部側において戸車加熱発泡材７４が発泡する。このため、戸車６が樹脂製などで万が一発火したとしてもその火を戸先框３５および召合せ框３６に移さないようにすることができる。これにより、戸車６が万が一発火したとしても、戸車６が発火したことによる戸先框３５や召合せ框３６、上框３３のダメージを抑えることができる。
【００７０】
また、戸車６の室内外方向の両側に第１框芯材加熱発泡材７２および第２框芯材加熱発泡材７３が設けられていることに加えて、戸車本体６１よりも下框３４の長さ方向の端部側に戸車加熱発泡材７４が設けられているため、火災時には、第１框芯材加熱発泡材７２、第２框芯材加熱発泡材７３および戸車加熱発泡材７４が発泡することで戸車本体６１を封止することができる。このため、戸車本体６１の溶融を抑制することができる。
また、戸車加熱発泡材７４は、戸車本体６１を支持する金属製の支持部６２に設けられていることにより、下框３４に対して戸車６が位置ずれしたとしても、戸車加熱発泡材７４を常に戸車本体６１よりも下框３４の長さ方向の端部側に配置した状態に維持することができる。
【００７１】
さらに、本実施形態では、戸車６よりも下枠２２の長さ方向の中央側に第３框芯材加熱発泡材７８が設けられていることにより、火災時には、戸車６よりも下枠２２の長さ方向の中央側においても第３框芯材加熱発泡材７８が発泡するため、戸車本体６１を確実に封止することができて、戸車本体６１が火炎に晒されることがなく戸車本体６１の溶融を抑制することができる。
【００７２】
また、下側連結金具３８は、戸車６の上側において下框３４の第１框芯材５に固定されるため、下側連結金具３８を戸車６と干渉しないように下框３４の第１框芯材５に固定する必要がある。本実施形態では、下側連結金具３８を下框３４の第１框芯材５に対して固定するネジ３８４が１つで、そのネジ３８４が戸車６よりも下枠２２の長さ方向の中央側において下框３４の第１框芯材５に固定されるため、下側連結金具３８を戸車６と干渉しないように下框３４の第１框芯材５に固定することができる。
【００７３】
下側連結金具３８を下框３４の第１框芯材５に固定する固定箇所数（ネジ３８４の数）は、１つであり、下側連結金具３８を戸先框３５および召合せ框３６の第１框芯材５に固定する固定箇所数（２つ）、上側連結金具３７を上框３３の第１框芯材５に固定する固定箇所数（２つ）、および上側連結金具３７を戸先框３５および召合せ框３６の第１框芯材５に固定する固定箇所数（２つ）よりも少ない。このため、本実施形態は、下側連結金具３８を戸車６と干渉しないように下框３４の第１框芯材５に固定しやすい形態となる。
【００７４】
以上、本発明による建具の実施形態について説明したが、本発明は上記の実施形態に限定されるものではなく、その趣旨を逸脱しない範囲で適宜変更可能である。
例えば、上記の実施形態では、下側連結金具３８が下框３４の第１框芯材５に固定される固定箇所は、１カ所で戸車６よりも下枠２２の長さ方向の中央側の位置となっている。これに対し、下側連結金具３８が下框３４の第１框芯材５に固定される固定箇所の数や位置は適宜設定されてよい。また、下側連結金具３８が戸先框３５および召合せ框３６それぞれの第１框芯材５に固定される固定箇所、上側連結金具３７が上框３３、戸先框３５および召合せ框３６それぞれの第１框芯材５に固定される固定箇所の数や位置は適宜設定されてよい。
【００７５】
また、上記の実施形態では、下框３４に第３框芯材加熱発泡材７８が設けられているが、設けられていなくてもよい。また第３框芯材加熱発泡材７８は、第２框芯材３９に設けられているが、第１框芯材５に設けられていてもよい。
また、上記の実施形態では、障子３の框体３１は、合成樹脂製の樹脂框４と、樹脂框４の内部に挿入配置された金属製の第１框芯材５と、を有する構成である。これに対し、障子３の框体３１は、樹脂框４および第１框芯材５の他に、樹脂框４の室外側および室内側の少なくとも一方に配置された金属製の形材を有する構成であってもよい。
【符号の説明】
【００７６】
１  建具
２  枠体
３  障子
４  樹脂框
５  第１框芯材（框芯材）
６  戸車
３１  框体
３３  上框
３４  下框
３５  戸先框（縦框）
３６  召合せ框（縦框）
３７  上側連結金具
３８  下側連結金具
３９  第２框芯材（框芯材）
６１  戸車本体
６２  支持部
７２  第１框芯材加熱発泡材（第１加熱発泡材）
７３  第２框芯材加熱発泡材（第１加熱発泡材）
７４  戸車加熱発泡材（第２加熱発泡材）
７８  第３框芯材加熱発泡材（第３加熱発泡材）
【図１】
2019065498.tif 000003
【図２】
2019065498.tif 000004
【図３】
2019065498.tif 000005
【図４】
2019065498.tif 000006
【図５】
2019065498.tif 000007
【図６】
2019065498.tif 000008
【図７】
2019065498.tif 000009
【図８】
2019065498.tif 000010
【図９】
2019065498.tif 000011
【図１０】
2019065498.tif 000012
【図１１】
2019065498.tif 000013
【図１２】
2019065498.tif 000014
【図１３】
2019065498.tif 000015
【図１４】
2019065498.tif 000016
【図１５】
2019065498.tif 000017